(57)【要約】【課題】  デジタルフィルタを用いてテレビ放送信号から妨害波信号成分を除去するオフセットビート除去装置を、地域毎に最適に設計できるようにする。【解決手段】  受信信号処理装置１０は、放送チャンネルのテレビ放送信号を選局することによって得られる映像ＩＦ信号を直交検波部１４で直交検波し、その直交検波によって得られるＩ信号及びＱ信号をデジタル処理するデジタル処理部２０を備える。このデジタル処理部２０は、ＦＰＧＡから構成されており、その作動データを、信号処理特性設定装置３０側で、基準データを基準に任意の特性に変更できる。よって、ビート障害が発生する地域で、受信信号処理装置１０に受信アンテナ２及びテレビ受信機を接続して、デジタル処理部２０の作動データを適宜変更することによって、ビート障害を最適に除去するための作動データを簡単に設定でき、最適なビート除去機能が得られる装置を容易に設計できる。【選択図】  図１
2005123891.tif 000002
【特許請求の範囲】
【請求項１】
受信アンテナから入力される受信信号の中から、外部から指定された所定放送チャンネルのテレビ放送信号を選局して、該テレビ放送信号の映像中間周波数信号を出力する選局手段と、
該選局手段から出力される映像中間周波信号を直交検波し、該直交検波により得られたＩ信号及びＱ信号を出力する直交検波手段と、
該直交検波手段から出力されるＩ信号及びＱ信号を予め登録された作動データに従いデジタル処理して映像信号を生成する、ＦＰＧＡ（Ｆｉｅｌｄ  Ｐｒｏｇｒａｍｍａｂｌｅ  Ｇａｔｅ  Ａｒｒａｙ）からなる信号処理手段と、
該信号処理手段のデジタル処理によって得られた映像信号をテレビ放送信号に再変調して出力する再変調手段と、
からなる受信信号処理装置を備え、該受信信号処理装置をオフセットビート除去装置として動作させるのに最適な前記信号処理手段の動作特性を設定するためのオフセットビート除去装置の設計支援装置であって、
前記信号処理手段を、前記Ｑ信号から前記Ｉ信号に含まれる妨害波信号成分を生成して前記Ｉ信号から該妨害波信号成分を除去した映像信号を生成するように動作させるための基準データが予め記憶された記憶手段と、
該記憶手段に記憶された基準データに基づき、前記信号処理手段の動作特性を表すパラメータを表示装置に表示する動作特性表示手段と、
該動作特性表示手段が表示したパラメータの変更指令及び確定指令を外部操作によって入力するための入力手段と、
該入力手段から前記パラメータの変更指令が入力されると、該変更指令に従い前記表示装置に表示されたパラメータを更新する表示更新手段と、
前記入力手段から前記パラメータの確定指令が入力されると、前記基準データと前記表示装置に表示されている最新のパラメータとに基づき、前記信号処理手段を動作させるのに必要な作動データを生成し、該作動データを前記信号処理手段の作動データとして前記受信信号処理装置に登録する作動データ生成手段と、
該作動データ生成手段にて生成された作動データを設計データとして前記記憶手段に格納する作動データ格納手段と、
を備えたことを特徴とするオフセットビート除去装置の設計支援装置。
【請求項２】
受信アンテナから入力される受信信号の中から、予め設定された所定放送チャンネルのテレビ放送信号を選局して、該テレビ放送信号の映像中間周波数信号及び音声中間周波信号を出力する選局手段と、
該選局手段から出力される映像中間周波信号を直交検波し、該直交検波により得られたＩ信号及びＱ信号を出力する直交検波手段と、
該直交検波手段から出力されるＩ信号及びＱ信号をデジタル処理して映像信号を生成する信号処理手段と、
該信号処理手段のデジタル処理によって得られた映像信号と前記選局手段にて選局された音声中間周波信号とをテレビ放送信号に再変調して出力する再変調手段と、
を備えたオフセットビート除去装置であって、
前記信号処理手段は、請求項１記載の設計支援装置にて生成された設計データに従い前記Ｉ信号及びＱ信号をデジタル処理するように構成されたことを特徴とするオフセットビート除去装置。
【発明の詳細な説明】
【技術分野】
【０００１】
本発明は、受信アンテナにて受信したテレビ放送信号の中から、希望波に対して送信周波数が所定周波数オフセットされた妨害波信号成分を除去するオフセットビート除去装置の設計支援装置、及び、この設計支援装置を用いて設計されたオフセットビート除去装置に関する。
【背景技術】
【０００２】
従来より、近接する地域で同一の放送チャンネルを利用したテレビ放送を行う際には、各テレビ放送信号の送信周波数に±１０．０１ｋＨｚのオフセットを設けて、テレビ受信機で映像信号を再生した際に画面に現れる縞模様（ビート）を目立たなくするようにしている。しかし、妨害波の量が多ければビートも顕著に現れることになるし、聴視者からはよりよい画質の要求がある。
【０００３】
そこで、近年では、こうしたビート障害を防止するために、ビート障害が発生する放送チャンネルのテレビ放送信号を所定周波数帯に周波数変換した映像中間周波信号（以下、映像ＩＦ信号ともいう）から、希望波の映像搬送波を抽出し、この映像搬送波を用いて映像ＩＦ信号を直交検波することにより、希望波と妨害波とを含むＩ信号と妨害波信号成分を含むＱ信号とを生成し、更に、アナログフィルタを用いて、その生成したＱ信号から妨害波信号成分を生成して、Ｉ信号から除去することにより、妨害波信号成分を除去した映像ＩＦ信号を生成するオフセットビート除去装置（所謂ビートキャンセラ）が提案されている（例えば、特許文献１、特許文献２参照）。
【特許文献１】特開平８−９８０６１号公報
【特許文献２】特開平９−５５６７１号公報
【発明の開示】
【発明が解決しようとする課題】
【０００４】
しかしながら、従来のビートキャンセラでは、直交検波後のＱ信号から妨害波信号成分を抽出するためにアナログフィルタが用いられ、このアナログフィルタにて、妨害波のオフセット周波数付近の信号を妨害波信号成分として抽出していたことから、フィルタ特性を安定化させるために温度変化の小さい環境下で使用しなければならないとか、映像信号から妨害波信号成分を充分除去することができず、映像信号を再生すると希望波の映像に妨害波の映像が現れることがあった。
【０００５】
そこで、こうした問題を防止するために、本願発明者らは、直交検波後のＱ信号から妨害波信号成分を抽出するフィルタとして、アナログフィルタに代えてデジタルフィルタを用い、しかも、このデジタルフィルタでは、Ｑ信号から、妨害波のオフセット周波数付近の信号だけでなく、他の周波数域の妨害波信号成分も抽出することを考えた。
【０００６】
つまり、デジタルフィルタは、アナログフィルタに比べて温度特性が安定していることから、このデジタルフィルタを用いて、Ｑ信号から、再生画像に影響を与える全ての妨害波信号成分を生成することで、希望波の映像のみを鮮明に再生できるようにするのである。
【０００７】
ところが、このようにデジタルフィルタを用いてＱ信号から妨害波信号成分を抽出するようにした場合、抽出する妨害波信号成分の周波数帯域を広くしすぎると、Ｉ信号から、妨害波信号成分だけでなく希望波の信号成分も除去されてしまい、再生画像がノイズの多い画像になってしまうという問題があった。
【０００８】
また、この問題を考慮して、希望波の再生画像に影響を与えることのない範囲内で妨害波信号成分を良好に抽出できるデジタルフィルタを設計しても、受信点によってビート障害の程度が異なるので、そのデジタルフィルタを組み込んだビートキャンセラを、設計時とは異なる使用条件の地域で利用すると、妨害波を良好に除去することができない、といった問題もあった。
【０００９】
本発明は、こうした問題に鑑みなされたもので、デジタルフィルタを用いて妨害波信号成分を生成してテレビ放送信号から除去するオフセットビート除去装置を、ビート障害の程度が異なる地域毎に、最適且つ簡単に設計できるようにすることを目的とする。
【課題を解決するための手段】
【００１０】
かかる目的を達成するためになされた請求項１記載のオフセットビート除去装置の設計支援装置は、受信アンテナから入力される受信信号の中から、外部から指定された所定放送チャンネルのテレビ放送信号を選局して、そのテレビ放送信号の映像中間周波数信号を出力する選局手段と、選局手段から出力される映像中間周波信号を直交検波することによりＩ信号及びＱ信号を生成して出力する直交検波手段と、直交検波手段から出力されるＩ信号及びＱ信号を予め登録された作動データに従いデジタル処理して映像信号を生成する信号処理手段と、信号処理手段のデジタル処理によって得られた映像信号をテレビ放送信号に再変調して出力する再変調手段とから構成された受信信号処理装置を備える。
【００１１】
この受信信号処理装置において、信号処理手段は、直交検波後のＩ信号及びＱ信号を信号処理することにより映像信号を生成するものであるが、この信号処理手段は、ＦＰＧＡ（Ｆｉｅｌｄ  Ｐｒｏｇｒａｍｍａｂｌｅ  Ｇａｔｅ  Ａｒｒａｙ）にて構成されているため、信号処理動作（延いては、受信信号処理装置の動作特性）を外部から入力する作動データによって任意に設定できる。
【００１２】
また、本発明の設計支援装置には、信号処理手段を、直交検波後のＱ信号からＩ信号に含まれる妨害波信号成分を生成してＩ信号から妨害波信号成分を除去した映像信号を生成するように動作させるための基準データが予め記憶された記憶手段と、この記憶手段に記憶された基準データに基づき信号処理手段の動作特性を表すパラメータを表示装置に表示する動作特性表示手段と、この動作特性表示手段が表示したパラメータの変更指令及び確定指令を外部操作によって入力するための入力手段と、入力手段からパラメータの変更指令が入力された際に、その変更指令に従い表示装置に表示されたパラメータを更新する表示更新手段と、入力手段からパラメータの確定指令が入力された際に、基準データと表示装置に表示されている最新のパラメータとに基づき信号処理手段を動作させるのに必要な作動データを生成し、その生成した作動データを信号処理手段の作動データとして受信信号処理装置に登録する作動データ生成手段とが備えられている。
【００１３】
このため、本発明の設計支援装置によれば、入力手段を操作して、信号処理手段の動作特性を規定するパラメータを変更することにより、受信信号処理装置における信号処理手段の動作特性を、基準データに対応した動作特性を基準として、任意の動作特性に変更することができる。
【００１４】
したがって、本発明の設計支援装置によれば、ビート障害が発生している地域で、受信信号処理装置に受信信号入力用のアンテナと映像信号再生用のテレビ受信機を接続し、さらに、受信信号処理手段の選局手段が選局する放送チャンネルをビート障害が発生する放送チャンネルに設定した状態で、入力手段を操作して信号処理手段（延いては受信信号処理装置）の動作特性の変更作業を行うようにすれば、その変更作業の際にテレビ受信機による再生画像が最も綺麗になったときの作動データを、その地域でビート障害を抑制するのに最適な信号処理手段の作動データとして設定できる。
【００１５】
また、本発明の設計支援装置においては、作動データ格納手段が、入力手段の操作に伴い変更された作動データを、信号処理手段の設計データとして記憶手段に格納する。
このため、上記のように信号処理手段の動作特性の変更作業を行った後、設計部署に戻って、記憶手段に格納された設計データを元に、オフセットビート除去装置を設計すれば、信号処理手段の動作特性の変更作業を行った地域でビート障害を抑制するのに最適なオフセットビート除去装置を再現できることになり、その設計作業を極めて簡単に行うことができる。
【００１６】
一方、請求項２に記載のオフセットビート除去装置は、受信アンテナから入力される受信信号の中から、予め設定された所定放送チャンネルのテレビ放送信号を選局して、該テレビ放送信号の映像中間周波数信号及び音声中間周波信号を出力する選局手段と、この選局手段から出力される映像中間周波信号を直交検波し、その直交検波により得られたＩ信号及びＱ信号を出力する直交検波手段と、この直交検波手段から出力されるＩ信号及びＱ信号をデジタル処理して映像信号を生成する信号処理手段と、この信号処理手段のデジタル処理によって得られた映像信号と選局手段にて選局された音声中間周波信号とをテレビ放送信号に再変調して出力する再変調手段とを備え、信号処理手段は、請求項１記載の設計支援装置にて生成された設計データに従いＩ信号及びＱ信号をデジタル処理するように構成されている。
【００１７】
このため、本発明のオフセットビート除去装置によれば、信号処理手段が、請求項１記載の設計支援装置により得られた設計データに従い直交検波後のＩ信号及びＱ信号をデジタル処理するので、その設計データを生成した地域でビート障害を抑制するのに最適なビートキャンセラを提供できることになる。
【００１８】
なお、本発明（請求項２）のオフセットビート除去装置において、信号処理手段は、請求項１に記載の設計支援装置にて用いられる受信信号処理装置の信号処理手段と同様にＦＰＧＡにて構成し、その作動データとして、設計支援装置により得られた設計データを設定するようにしてもよいが、信号処理手段をＦＰＧＡにて構成すると、オフセットビート除去装置のコストアップを招くことが考えられることから、信号処理手段としては、設計支援装置により得られた設計データに沿って動作するように設計されたＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）にて構成することが望ましい。
【発明を実施するための最良の形態】
【００１９】
以下に本発明の実施形態を図面と共に説明する。
図１は本発明が適用された実施例のオフセットビート除去装置の設計支援装置全体の構成を表すブロック図である。
【００２０】
図１に示すように、本実施例の設計支援装置は、受信信号処理装置１０と、信号処理特性設定装置３０とから構成されている。
受信信号処理装置１０は、ＶＨＦ帯もしくはＵＨＦ帯の放送チャンネルでの地上局のテレビ放送の送信電波を受信する受信アンテナ２からの受信信号（ＲＦ信号）を入力するための入力端子Ｔｉｎと、この入力端子Ｔｉｎに入力された受信信号の中から、選局チャンネル設定部１１を介して使用者により設定された所定放送チャンネルのテレビ放送信号を選局し、そのテレビ放送信号を所定周波数帯の中間周波信号（映像ＩＦ信号）に変換して出力する選局部（所謂チューナ）１２と、この選局部１２から出力される映像中間周波信号を直交検波する直交検波部１４とを備える。
【００２１】
なお、直交検波部１４は、選局部１２から出力される映像ＩＦ信号に含まれる希望波の映像搬送波を生成し、その生成した映像搬送波を用いて映像ＩＦ信号を検波することにより映像ＩＦ信号に含まれる全映像信号成分であるＩ信号を生成すると共に、生成した映像搬送波を９０度移相させた映像搬送波を用いて映像ＩＦ信号を検波することにより映像ＩＦ信号に含まれる妨害波信号成分であるＱ信号を生成する周知のものである。そして、直交検波部１４の直交検波によって得られたＩ信号及びＱ信号は、それぞれ、Ａ／Ｄ変換部１６、１８にてデジタルデータに変換された後、デジタル処理部２０に入力される。
【００２２】
デジタル処理部２０は、動作特性をプログラム可能なＦＰＧＡから構成されており、水晶発振部２２から動作クロックを受けて動作する。そして、デジタル処理部２０は、起動（または再起動）直後に、メモリからなる作動データ記憶部２４のリードイネーブル端子（Ｒ／Ｅ）をハイレベルにして、作動データ記憶部２４に動作クロックを供給することにより、作動データ記憶部２４からその内部に記憶された作動データを読み込み、その後は、その読み込んだ作動データに従いＡ／Ｄ変換部１６及び１８を介して入力されたＩ信号及びＱ信号をデジタル処理する。
【００２３】
また、デジタル処理部２０からは、Ｉ信号及びＱ信号のデジタル処理結果であるデータが出力されるが、このデータはＤ／Ａ変換部２６にてアナログの映像信号にＡ／Ｄ変換される。そして、そのＤ／Ａ変換部２６にてＡ／Ｄ変換された映像信号は、再変調部２８にて、予め設定された所定放送チャンネルのテレビ放送信号（ＲＦ信号）に変換された後、出力端子Ｔｏｕｔから外部に出力される。
【００２４】
なお、入力端子Ｔｉｎ及び出力端子Ｔｏｕｔは、同軸ケーブルを介して受信アンテナ２から受信信号（ＲＦ信号）を取り込み、信号処理後のテレビ放送信号（ＲＦ信号）を図示しないテレビ受信機に出力できるように、例えば、Ｆ型接栓にて構成されている。
【００２５】
次に、信号処理特性設定装置３０は、受信信号処理装置１０のデジタル処理部２０をオフセットビート除去装置として動作させるのに必要な基準データや、その基準データを基に新たに作成した設計データが記憶されるハードディスク等からなる設計データ記憶部３２と、液晶ディスプレイ等からなる表示部３４と、キーボードやポインティングデバイス等からなる操作部３６と、これら各部に接続されて予め設定された制御プログラムに従い動作する制御部３８とから構成されている。
【００２６】
ここで、制御部３８は、ＣＰＵ、ＲＯＭ、ＲＡＭ、及び各種インターフェイスからなるコンピュータにて構成されており、予めＲＯＭ内に格納された後述の制御プログラムに従い、受信信号処理装置１０の作動データ記憶部２４にデジタル処理部２０の作動データを書き込む処理を実行する。
【００２７】
なお、制御部３８から作動データ記憶部２４への作動データの書き込みは、作動データ記憶部２４のライトイネーブル端子（Ｗ／Ｅ）をハイレベルにすることにより、作動データ記憶部２４をデータ書き込み状態にして、動作クロックと作動データを作動データ記憶部２４に出力することにより行われる。
【００２８】
次に、設計データ記憶部３２に記憶される基準データは、受信信号処理装置１０のデジタル処理部２０を、例えば図２の機能ブロックで示すように動作させように設定されている。
【００２９】
すなわち、選局部１２から出力される映像ＩＦ信号に、希望波映像信号と、オフセットビート障害を発生させる妨害波映像信号が含まれている場合、希望波映像信号をＡ（ｔ）、その搬送波（映像搬送波）をｃｏｓ（ωｔ）とし、妨害波映像信号をＲ（ｔ）、その搬送波（映像搬送波）をｃｏｓ｛（ω＋δ）ｔ＋β｝とした場合、映像ＩＦ信号は、
映像ＩＦ信号＝Ａ（ｔ）ｃｏｓ（ωｔ）
＋Ｒ（ｔ）ｃｏｓ｛（ω＋δ）ｔ＋β｝
と記述でき、直交検波後のＩ信号及びＱ信号は、夫々、
Ｉ信号＝Ａ（ｔ）＋Ｒ（ｔ）ｃｏｓ（δｔ＋β）
Ｑ信号＝Ｒ（ｔ）ｓｉｎ（δｔ＋β）
となることから、基準データは、デジタル処理部２０を、Ｑ信号からＩ信号に含まれる不要な妨害波信号成分である「Ｒ（ｔ）ｃｏｓ（δｔ＋β）」を生成してその妨害波信号成分をＩ信号から除去するように動作させるように設定されている。
【００３０】
具体的には、図２の機能ブロックで示すように、デジタル処理部２０は、基準データに従って、まず、基準信号生成部４０にて、希望波の映像搬送波と妨害波の映像搬送波との周波数の差であるオフセット周波数（１０．０１ｋＨｚ）を有する正弦波信号（ｓｉｎ（δｔ＋θ））及び余弦波信号（ｃｏｓ（δｔ＋θ））を生成し、これら各信号とＱ信号とを乗算部４１ａ、４１ｂにて乗算し、その乗算結果を、それぞれ、水平同期周波数を遅延時間（１Ｈ）とする４段の信号遅延部４２ａ〜４５ａ及び４２ｂ〜４４ｂ、４５ｂにて順次遅延させる。
【００３１】
また、デジタル処理部２０は、係数乗算部４６ａ〜５０ａ及び４６ｂ〜５０ｂにて、乗算部４１ａ、４１ｂからの出力と各信号遅延部４２ａ〜４５ａ及び４２ｂ〜４５ｂからの出力とに、それぞれ、予め設定された係数Ｋ２、Ｋ１，Ｋ０，Ｋ１、Ｋ２を乗じ、これら係数乗算後のデータを、加算部５１ａ、５１ｂにて全て加算し、乗算部５３ａ及び５３ｂにて、加算部５１ａ、５１ｂで得られた加算結果に、移相調整部５２ａ及び５２ｂにて位相調整した余弦波信号及び正弦波信号をそれぞれ乗じ、さらに、減算部５４にて、乗算部５３ａによる乗算結果から、乗算部５３ｂによる乗算結果を減じることで、Ｉ信号から除去すべき妨害波信号成分を生成する。
【００３２】
そして、最後に、デジタル処理部２０は、Ａ／Ｄ変換部１６から入力されたＩ信号と減算部５４から出力される乗算結果（妨害波信号成分）とが同期するように、遅延部５５にてＩ信号を遅延させ、遅延部５５にて遅延させたＩ信号から、減算部５４から出力された妨害波信号成分を減じることで、妨害波信号成分を除去したＩ信号（換言すれば、映像信号＝Ａ（ｔ））を生成する。
【００３３】
ところで、デジタル処理部２０が基準データに従い動作することによって実現される信号遅延部４２ａ〜４５ａ及び４２ｂ〜４５ｂ、係数乗算部４６ａ〜５０ａ及び４６ｂ〜５０ｂ、及び、加算部５１ａ、５１ｂは、乗算部４１ａ、４１ｂからの出力をフィルタリングする櫛形のローパスフィルタとしての機能を実現するものであるが、このフィルタの特性は、デジタル処理部２０でＩ信号から除去するために生成される妨害波信号成分の周波数特性を決定するものであることから、受信信号処理装置１０を、地域毎に最適なビート除去機能を実現できるようにするには、そのフィルタ特性を調整する必要がある。
【００３４】
そこで、信号処理特性設定装置３０は、コンピュータからなる制御部３８がＲＯＭ内に予め設定された制御プログラムに従い図３に示す手順で演算動作を実行することにより、使用者が基準データを適宜加工して作動データ記憶部２４に登録できるようにされている。
【００３５】
以下、この制御部３８の動作について説明する。
図３に示すように、制御部３８が起動されると、制御部３８は、まずＳ１１０（Ｓはステップを表す）にて、デジタル処理部２０の作動データを設定しようとしている地域の情報を使用者に入力させる入力画面を表示部３４に表示することにより、使用者に地域情報の入力を促し、その入力画面に従い使用者が操作部３６を操作して地域情報を入力すると、その地域情報を一時的に記憶する地域情報取得処理を実行する。
【００３６】
そして、この地域情報取得処理にて地域情報を取得すると、Ｓ１２０に移行して、今回取得した地域情報に対応する設計データが設計データ記憶部３２に記憶されているか否かを判断し、地域情報に対応する設計データが記憶されていれば、Ｓ１３０にて、設計データ記憶部３２からその設計データを読み込み、地域情報に対応する設計データが記憶されていなければ、Ｓ１４０にて、設計データ記憶部３２から基準データを読み込む。
【００３７】
次に、続くＳ１５０では、Ｓ１３０又はＳ１４０にて読み込んだ設計データ又は基準データに対応したデジタル処理部２０の機能ブロックを表示部３４の所定領域に表示し、続くＳ１６０にて、その機能ブロックに対応してデジタル処理部２０の動作特性を変更可能なパラメータを使用者に入力させるためのパラメータ変更画面を表示部３４の所定領域に表示する。
【００３８】
なお、表示部３４に表示するデジタル処理部２０の機能ブロックは、例えば、図２に示したようなものであり、Ｓ１３０又はＳ１４０にて読み込んだ設計データ又は基準データに対応したデジタル処理部２０の機能が一目でわかるように設定される。また、パラメータ変更画面は、例えば、図４に示すように、表示部３４に表示した機能ブロックにおいて予め変更可能に設定されているパラメータ（本実施例では、図２に示した係数乗算部４６ａ〜５０ａ及び４６ｂ〜５０ｂにて乗算される係数Ｋ０〜Ｋ２）の現在の設定値と、その設定値によって実現されるデジタル処理部２０の特性図（本実施例ではフィルタ特性）と、そのパラメータの変更値を入力するための数値入力枠と、数値入力枠に入力されたパラメータの値によって実現されるデジタル処理部２０の特性図とから構成されている。
【００３９】
次に、続くＳ１７０では、使用者が操作部３６を操作することによって、Ｓ１６０にて表示したパラメータ変更画面の数値入力枠にパラメータの値を入力したか否かを判断することにより、使用者からパラメータの変更指令が入力されたか否かを判断し、使用者から変更指令が入力されたと判断すると、続くＳ１８０に移行して、その変更後のパラメータ（係数Ｋ０〜Ｋ２の値）に従い、デジタル処理部２０の特性（フィルタ特性）を演算し、続くＳ１９０にて、その演算結果に従いパラメータ変更画面上の特性図を更新する。
【００４０】
また、こうしてＳ１９０にてパラメータ変更画面を更新するか、あるいは、Ｓ１７０にて、変更指令は入力されていないと判断されると、今度は、Ｓ２００に移行して、使用者が操作部３６を操作することによって、パラメータ変更画面に表示されている最新のパラメータにてデジタル処理部２０の作動データを設定するように確定指令を入力したか否かを判断する。
【００４１】
そして、Ｓ２００にて、使用者が確定指令を入力したと判断すると、Ｓ２１０にて、パラメータ変更画面の数値入力枠に表示されているパラメータ（ただし、数値入力枠にパラメータが入力されていなければそのパラメータの現在値）と、Ｓ１３０又はＳ１４０で読み込んだ現在の設計データ又は基準データとに基づき、デジタル処理部２０を使用者が入力したパラメータに従い動作させるための作動データを生成し、続くＳ２２０にて、その作動データを受信信号処理装置１０に出力することにより、受信信号処理装置１０内の作動データ記憶部２４に作動データを書き込む。
【００４２】
なお、このＳ２２０での作動データの書き込みは、上述したように、作動データ記憶部２４のライトイネーブル端子（Ｗ／Ｅ）をハイレベルにして、動作クロックと作動データを作動データ記憶部２４に出力することにより行われる。
【００４３】
また次に、Ｓ２２０にて、作動データ記憶部２４への作動データの書き込みが行われるか、あるいは、Ｓ２００で、確定指令の入力はないと判断された場合には、Ｓ２３０に移行して、使用者が操作部３６を操作することによって、当該処理の終了指令を入力したか否かを判断する。
【００４４】
そして、終了指令が入力されていなければ、再度Ｓ１７０に移行して、Ｓ１７０以降の処理を繰り返し実行し、逆に、Ｓ２３０にて、終了指令が入力されたと判断されると、当該処理の起動開始直後に取得した地域情報と、その後、Ｓ２２０の処理で受信信号処理装置１０内の作動データ記憶部２４に書き込んだ最新の作動データとを関連づけて、設計データとして設計データ記憶部３２に格納し、当該処理を終了する。
【００４５】
以上説明したように、本実施例の設計支援装置には、直交検波部１４にて直交検波されたＩ信号及びＱ信号を、作動データ記憶部２４に格納された作動データに従いデジタル処理する、ＦＰＧＡからなるデジタル処理部２０を備えた受信信号処理装置１０が設けられている。
【００４６】
そして、この受信信号処理装置１０の信号処理特性を決定するデジタル処理部２０の作動データは、信号処理特性設定装置３０に設けられた操作部３６を操作して、デジタル処理部２０の動作特性を表すパラメータを変更することにより、適宜変更できる。
【００４７】
したがって、本実施例の設計支援装置によれば、ビート障害が発生している地域で、受信信号処理装置１０の入力端子Ｔｉｎに受信アンテナ２を接続し、出力端子Ｔｏｕｔにテレビ受信機を接続し、さらに、選局チャンネル設定部１１を介して選局部１２が選局する放送チャンネルをビート障害が発生する放送チャンネルに設定した状態で、信号処理特性設定装置３０の操作部３６を操作して、デジタル処理部２０の作動データを適宜変更する変更作業を行い、その変更作業の際にテレビ受信機による再生画像が最も綺麗になったときの作動データを、設計データとして設計データ記憶部３２に記憶させるようにすれば、その地域でビート障害を抑制するのに最適なデジタル処理部２０の作動データを、設計データとして残すことができる。
【００４８】
このため、本実施例の設計支援装置によれば、各地域毎に最適なビート除去特性が得られるデジタル処理部２０の作動データを、設計データとして簡単に蓄積することができ、その設計データに基づき、各地域用のビート除去装置を設計することによって、その設計作業を極めて簡単に行うことができるようになる。
【００４９】
なお、本実施例においては、受信信号処理装置１０を構成する選局部１２が本発明の選局手段に相当し、同じく直交検波部１４が本発明の直交検波手段に相当し、同じくデジタル処理部２０が本発明の信号処理手段に相当し、再変調部２８が本発明の再変調手段に相当する。また、信号処理特性設定装置３０において、設計データ記憶部３２は本発明の記憶手段に相当し、表示部３４は本発明の表示装置に相当し、操作部３６は、本発明の入力手段に相当する。また、さらに、制御部３８にて実行される処理の内、表示部３４にパラメータ変更画面を表示するＳ１６０の処理は本発明の動作特性表示手段に相当し、そのパラメータ変更画面を更新するＳ１９０の処理は、本発明の表示更新手段に相当し、デジタル処理部２０の作動データを生成して作動データ記憶部２４に書き込むＳ２１０及びＳ２２０の処理は、本発明の作動データ生成手段に相当し、作動データを設計データとして設計データ記憶部３２に格納するＳ２４０の処理は、本発明の作動データ格納手段に相当する。
【００５０】
次に、図５は、上記のように本実施例の設計支援装置を用いて得られた設計データに従い設計されるオフセットビート除去装置６０の一例を表すブロック図である。
図５に示すように、このオフセットビート除去装置６０は、受信信号処理装置１０と同様、ＶＨＦ帯もしくはＵＨＦ帯の放送チャンネルでの地上局のテレビ放送の送信電波を受信する受信アンテナ２からの受信信号（ＲＦ信号）を入力するための入力端子Ｔｉｎを備え、この入力端子Ｔｉｎに入力された受信信号を分配器６２にて２分配するようにされている。
【００５１】
そして、この分配器６２で分配された一方の受信信号は、受信信号の中から予め設定された特定放送チャンネルのテレビ放送信号を選局して、所定周波数帯の中間周波信号に変換することで、映像ＩＦ信号と音声中間周波信号（以下、音声ＩＦ信号ともいう）とを出力する選局部６１に入力される。
【００５２】
そして、この選局部６１から出力される映像ＩＦ信号は、受信信号処理装置１０と同様の直交検波部１４にて直交検波され、直交検波後のＩ信号及びＱ信号は、Ａ／Ｄ変換部１６、１８を介して、デジタル処理部７０に入力される。
【００５３】
このデジタル処理部７０は、上述した設計支援装置を用いて得られた設計データに従い、受信信号処理装置１０のデジタル処理部（ＦＰＧＡ）２０と同様に動作するように設計されたＡＳＩＣにて構成されており、上述したデジタル処理部２０と同様、水晶発振部２２から動作クロックを受けて動作する。
【００５４】
また、デジタル処理部７０からの出力データは、受信信号処理装置１０と同様、Ｄ／Ａ変換部２６にてアナログの映像信号に変換された後、再変調部２８に入力されるが、再変調部２８には、選局部６１から出力された音声ＩＦ信号を遅延させる音声信号遅延処理部６８を介して、音声ＩＦ信号が入力され、再変調部２８は、この音声ＩＦ信号とＤ／Ａ変換部２６から入力された映像信号とを、選局部６１が選局した放送チャンネルのテレビ放送信号に再変調する。
【００５５】
一方、分配器６２で分配された他方の受信信号は、受信信号通過処理部６４を介して、再変調部２８と出力端子Ｔｏｕｔとの間の経路に設けられた混合器６６に入力される。そして、混合器６６は、再変調部２８にて再変調されたテレビ放送信号と、受信信号通過処理部６４を通過した受信信号とを混合して、出力端子Ｔｏｕｔから受信端末側へと出力させる。
【００５６】
なお、受信信号通過処理部６４には、選局部６１が選局し、再変調部２８が再変調する放送チャンネルのテレビ放送信号を遮断するためのフィルタ（バンドエリミネータ）が内蔵されている。
【００５７】
以上のように、図５に示したオフセットビート除去装置６０には、上述した設計支援装置を用いて得られた設計データに従い作製されたＡＳＩＣからなるデジタル処理部７０が組み込まれており、このデジタル処理部７０を用いて、直交検波後のＩ信号及びＱ信号をデジタル処理するようにされている。従って、このオフセットビート除去装置６０によれば、デジタル処理部７０を、最適な設計データを得るために上述した設計支援装置の受信信号処理装置１０を動作させたときと同様に動作させることができ、設計データを取得した地域で用いることによって、最適なビート除去機能を発揮できる。
【００５８】
また、本実施例のオフセットビート除去装置６０は、受信アンテナ２から出力された全ての受信信号を通過させることができ、また、選局部で選局したテレビ放送信号の音声ＩＦ信号を、妨害波成分を除去した映像信号と一緒にテレビ放送信号に再変調することから、受信アンテナ２から受信端末に至る既存の伝送線上に設けても、端末側では、従来通り所望の放送チャンネルのテレビ放送を視聴できることになり、オフセットビート除去装置６０の使い勝手を向上できる。
【図面の簡単な説明】
【００５９】
【図１】実施例の設計支援装置の構成を表すブロック図である。
【図２】受信信号処理装置を構成するデジタル処理部の動作を表す機能ブロック図である。
【図３】信号処理特性設定装置を構成する制御部の動作を表すフローチャートである。
【図４】制御部の動作によって表示部に表示されるパラメータ変更画面の一例を表す説明図である。
【図５】実施例のオフセットビート除去装置の構成を表すブロック図である。
【符号の説明】
【００６０】
２…受信アンテナ、１０…受信信号処理装置、１１…選局チャンネル設定部、１２…選局部、１４…直交検波部、１６，１８…Ａ／Ｄ変換部、２０…デジタル処理部、２２…水晶発振部、２４…作動データ記憶部、２６…Ｄ／Ａ変換部、２８…再変調部、３０…信号処理特性設定装置、３２…設計データ記憶部、３４…表示部、３６…操作部、３８…制御部、６０…オフセットビート除去装置、６１…選局部、６２…分配器、６４…受信信号通過処理部、６６…混合器、６８…音声信号遅延処理部、７０…デジタル処理部、Ｔｉｎ…入力端子、Ｔｏｕｔ…出力端子。
【図１】
2005123891.tif 000003
【図２】
2005123891.tif 000004
【図３】
2005123891.tif 000005
【図４】
2005123891.tif 000006
【図５】
2005123891.tif 000007